(57)【要約】【課題】捕獲した動物を通電によって屠殺等を行う際に、操作棒の先端に取り付けられた、動物に突き刺す電極針が変形したり破損したりすることを抑制すると共に、操作棒を操作する狩猟者に危険が及びにくいようにして安全性を高めた通電式屠殺装置を提供する。【解決手段】通電式屠殺装置Ａは、電源部１と、電源部１のプラス側電線１６が接続されており、先端部にプラス側電線１６を介して通電可能な状態を維持しながら分離できるように形成されている電極針２１を有するプラス側通電操作具２と、電源部１のマイナス側電線１７が接続されており、先端部にマイナス側電線１７を介して通電可能な状態を維持しながら分離できるように形成されている電極針３１を有するマイナス側通電操作具３と、プラス側電線１６及びマイナス側電線１７の通電と遮断を切り替える起動スイッチ２２、３２とを備える。【選択図】図１
2018121608.tif 000002
【特許請求の範囲】
【請求項１】
バッテリーと、該バッテリーが入力側に接続されたＤＣ／ＡＣインバーターとを有する電源部と、
該電源部の前記ＤＣ／ＡＣインバーターの出力側に接続されたケーブルのプラス側の電線が接続されており、先端部に、前記プラス側の電線を介して通電可能な状態を維持しながら分離できるように形成されている電極針を有する、所要長さのプラス側通電操作具と、
前記電源部の前記ＤＣ／ＡＣインバーターの出力側に接続されたケーブルのマイナス側の電線が接続されており、先端部に、前記マイナス側の電線を介して通電可能な状態を維持しながら分離できるように形成されている電極針を有する、所要長さのマイナス側通電操作具と、
前記プラス側通電操作具のプラス側の電線及び前記マイナス側通電操作具のマイナス側の電線の一方または双方の通電と遮断を切り替える起動スイッチとを備える
通電式屠殺装置。
【請求項２】
前記プラス側の電線及び前記マイナス側の電線の一方または双方に余長部が設けられると共に、前記余長部が、対応する前記各通電操作具に出入り可能に外部へ引き出されている
請求項１記載の通電式屠殺装置。
【請求項３】
前記プラス側の電線及び前記マイナス側の電線の一方または双方が伸縮可能な余長部が設けられると共に、前記余長部が、対応する前記各通電操作具に出入り可能に収納されている
請求項１記載の通電式屠殺装置。
【請求項４】
前記プラス側の電線及び前記マイナス側の電線の一方または双方が伸縮可能な余長部が設けられると共に、前記余長部が、対応する前記各通電操作具の外部に露出して設けられている
請求項１記載の通電式屠殺装置。
【請求項５】
プラス側の変形性を有する電線に接続された電極針を有するプラス側通電操作具と、マイナス側の変形性を有する電線に接続された電極針を有するマイナス側通電操作具を備える通電式屠殺装置を使用し、
前記プラス側通電操作具及びマイナス側通電操作具の前記各電極を、捕獲されて拘束された動物に突き刺し、該各電極を突き刺した状態、かつ前記各電線を介し同各電極に通電可能な状態を維持した状態で、前記プラス側通電操作具と前記マイナス側通電操作具から同各電極を分離させる工程と、
前記プラス側の電線に通電し、前記動物を通る閉回路をつくって同動物を感電させる工程とを備える
屠殺方法。
【発明の詳細な説明】
【技術分野】
【０００１】
本発明は、通電式屠殺装置及び屠殺方法に関するものである。詳しくは、捕獲した動物を通電によって屠殺したり気絶させたりする際に、操作棒の先端に取り付けられた、動物に突き刺す電極針が変形したり破損したりすることを抑制すると共に、操作棒を操作する作業者に危険が及びにくいようにして安全性を高めたものに関する。
【背景技術】
【０００２】
例えば檻状の箱罠、あるいは足括り罠等の各種罠で捕獲した動物は、そのほとんどを屠殺（殺処分）する必要がある。しかし、猟区には銃猟禁止地域があり、動物に致命傷を与えるために無闇に発砲することはできない。また、急所を外して、ハンマーやナイフで中途半端に傷を負わせてしまうと、動物が大暴れして手負いとなる可能性があり、かえって危険である。そこで、多くの場合では、捕獲した動物の動きをワイヤロープ等の拘束具で制限し、動けなくなったところでナイフにより致命傷を与える方法がとられている。
【０００３】
しかし、この方法も危険であることに変わりはなく、近年では、狩猟者にとってより安全な方法として、捕獲した動物に電流を流して屠殺したり気絶させたりする方法が推奨されている。この通電による屠殺等は、捕獲した動物から充分に離れた場所から、操作棒等を使用して、動物の屠殺等を行う処理をごく短時間で行うことができる点で、実用的な方法であるといえる。
【０００４】
このような動物用の通電式屠殺装置としては、例えば特許文献１に記載されている野生動物屠殺用具がある。この屠殺用具は、先端先鋭状の正電極部となる金属針部を先端に有し、基端にグリップ部を形成した、伸縮自在の所定長さの竿体と、金属針部に接続した通電コードと、通電コードに接続したバッテリー部と、バッテリー部からの直流電圧を昇圧するための電源昇圧部と、ＤＣ／ＡＣインバーターと、通電コードの中途に介設した電源スイッチ部とよりなる。
【０００５】
しかも、バッテリー部と電源昇圧部とＤＣ／ＡＣインバーターはケースに収納して背負い状態に構成され、電源スイッチ部は、金属針部とＤＣ／ＡＣインバーターを繋ぐ通電コードに対して並列に延びる通電コードによって、ＤＣ／ＡＣインバーターに接続されている。
【０００６】
そして、野生動物を屠殺する場合には、狩猟者は一方の手で竿体のグリップ部を把持し、他方の手で電源スイッチ部を把持し、野生動物を収納する金属製網体を土中の接地電極と同電位にし、狩猟者が一方の手で野生動物に竿体の金属針部を突き刺し、他方の手で把持した電源スイッチ部のスイッチボタンを押すと、ＤＣ／ＡＣインバーターから通電コード、金属針部、野生動物、金属製網体及び土中の順に電流が流れる閉回路を形成することにより野生動物を屠殺するように構成されている。
【先行技術文献】
【特許文献】
【０００７】
【特許文献１】特許第５６８７７５０号公報
【発明の概要】
【発明が解決しようとする課題】
【０００８】
しかしながら、上記特許文献１に記載の野生動物屠殺用具には、次のような課題があった。すなわち、通電用の金属針部は、竿体の先端に固定されている。このため、狩猟者が竿体を操作して、金属針部を動物の皮膚に突き刺したときに、竿体と動物が金属針部でつながった状態になる。そして、その状態で動物が暴れたり、通電のショック等で激しく動いたりすると、金属針部が変形したり破損したりして、その後、用具を使用できなくなる恐れがあった。
【０００９】
更には、上記のように動物に金属針部が突き刺さったまま、動物が激しく動いた場合、竿体が強く弾かれて、竿体を持った狩猟者が転倒したり、竿体で打たれたりして、怪我をしてしまう危険性が高かった。しかも、この屠殺用具は、あらかじめ金属製網体を介して地面にアースをとっておき、その状態で動物に対して通電するので、特に雨天時に狩猟者が転倒する等した場合、過ってスイッチが入ってしまい、狩猟者が濡れた地面で感電してしまう可能性が少なからずあり、安全性にも課題があった。
【００１０】
本発明は、以上の点を鑑みて創案されたものであり、捕獲した動物を通電によって屠殺等を行う際に、操作棒の先端に取り付けられた、動物に突き刺す電極針が変形したり破損したりすることを抑制すると共に、操作棒を操作する作業者に危険が及びにくいようにして安全性を高めた通電式屠殺装置及び屠殺方法を提供することを目的とする。
【課題を解決するための手段】
【００１１】
（１）上記の目的を達成するために本発明は、バッテリーと、該バッテリーが入力側に接続されたＤＣ／ＡＣインバーターとを有する電源部と、該電源部の前記ＤＣ／ＡＣインバーターの出力側に接続されたケーブルのプラス側（プラス側または非接地側ともいう）の変形性を有する電線が接続されており、先端部に、前記プラス側の電線を介して通電可能な状態を維持しながら分離できるように形成されている電極針を有する、所要長さのプラス側通電操作具と、前記電源部の前記ＤＣ／ＡＣインバーターの出力側に接続されたケーブルのマイナス側（マイナス側または接地側ともいう）の変形性を有する電線が接続されており、先端部に、前記マイナス側の電線を介して通電可能な状態を維持しながら分離できるように形成されている電極針を有する、所要長さのマイナス側通電操作具と、前記プラス側通電操作具のプラス側の電線及び前記マイナス側通電操作具のマイナス側の電線の一方または双方の通電と遮断を切り替える起動スイッチとを備える通電式屠殺装置である。
【００１２】
本発明の通電式屠殺装置の電源部においては、バッテリーの直流をＤＣ／ＡＣインバーターにより所要の周波数の交流に変換することができる。
プラス側通電操作具は、ＤＣ／ＡＣインバーターから出力される交流電流を電線を介し電極へ供給することができる。電極は、プラス側通電操作具を構成するが、取り付けられた箇所から分離することができる。電極に電線を介し通電できる状態は、電極を分離した状態でも維持されるようになっている。また、電線は変形ができるので、分離した電極とプラス側通電操作具の位置関係が変化しても、所要の範囲内であれば、通電できる状態の維持が可能である。
【００１３】
マイナス側通電操作具は、プラス側通電操作具の電線を介し供給される交流電流を、それぞれの操作具の各電極を導通させることにより、電線を介し回路の接地側へ落とすことができる。電極は、マイナス側通電操作具を構成し、取り付けられた箇所から分離することができる。電極に電線を介し通電できる状態は、電極を分離した状態でも維持されるようになっている。また、電線は変形ができるので、分離した電極とマイナス側通電操作具の位置関係が変化しても、所要の範囲内、例えば電線が届く範囲内、電線の変形が可能な範囲内等であれば、通電できる状態の維持が可能である。
【００１４】
起動スイッチは、プラス側通電操作具のプラス側の電線及びマイナス側通電操作具のマイナス側の電線の一方または双方の通電と通電の遮断を切り替えることができるので、操作する狩猟者が判断するタイミングでの通電（ＯＮ）及び通電の遮断（ＯＦＦ）が可能である。また、通電操作具の双方に起動スイッチを設けておけば、通電操作具の取り落としや接触等により誤って起動スイッチが入ってしまったときの狩猟者の安全を図る安全装置としての利用が可能である。つまり、両方の通電操作具の起動スイッチを切っておけば、上記ケースで仮に一方の起動スイッチが入っても、同時に双方の起動スイッチが入らない限り通電されないので安全性が高い。
【００１５】
本発明を使用した動物の屠殺等にあたっては、例えば足括り罠等の罠に掛かり、ワイヤロープでつながれた状態で捕獲されたイノシシ等の動物を、他の拘束用ワイヤロープ等を使用して拘束し、動物の動きを制限して、屠殺等を行う狩猟者に対する危険度をあらかじめ軽減しておく。
【００１６】
狩猟者は、動物とやや離れた比較的安全な場所でマイナス側通電操作具を操作して、拘束されている動物の後ろ足等に、マイナス側の電極を突き刺す。更に、動物とやや離れた場所でプラス側通電操作具を操作して、拘束されている動物の耳の下等に、プラス側の電極を突き刺す。
【００１７】
次に、各電極を突き刺した状態、かつ各電線を介し各電極に通電可能な状態を維持しながら、プラス側通電操作具とマイナス側通電操作具を引っ張る等の操作を行い、各電極を分離させる。これにより、動物に突き刺さって固定されている各電極と、狩猟者が持っている電極が外れた各通電操作具は、変形性を有する電線を介し、通電可能に接続された状態となる。
【００１８】
この状態で起動スイッチを入れてプラス側の電線に通電し、電流が動物を通る閉回路をつくる。すなわち、プラス側通電操作具につながるプラス側の電線を通じて電極に送られた電流は、動物の身体を通り、更にマイナス側通電操作具においてマイナス側の電線に流れて接地されることにより、動物は感電する。
この際の電流量、電圧または通電時間等を調節することにより、動物の処分の程度、つまり殺処分とするか、あるいは利活用のため気絶させて放血が可能な仮死状態とするか等の調節が可能である。
【００１９】
また、動物が通電する前に暴れたり、通電のショック等で激しく動いたりしても、その動きの一部または全部は、各電線が変形しながら動くことにより吸収されるので、各通電操作具に伝わることを抑制することができる。
したがって、電極が変形したり破損したりすることを抑制することができる。また、従来のような、各通電操作具が強く弾かれて、操作具を持った狩猟者が転倒したり操作具で打たれたりして怪我をしてしまう危険性を低減することができる。
【００２０】
また、起動スイッチを、通電操作具において狩猟者の手が届く箇所に配置しておくことにより、電極につながる電線への通電を、最も好適なタイミングを見はからって素早く行うことができると共に、状況によっては通電をしないまま止めることもできるので、より確実に、かつより安全に作業を行うことが可能になる。
なお、本発明にいう「遮断」の用語は、通電を遮断する意味で使用している。
【００２１】
（２）本発明は、前記プラス側の電線及び前記マイナス側の電線の一方または双方に余長部が設けられると共に、前記余長部が、対応する前記各通電操作具に出入り可能に外部へ引き出されている構成であってもよい。
【００２２】
この場合、電線に設けた余長部は、電極を分離させたとき、必要な位置まで離すことができるように、電線に余裕を持たせた部分であり、各通電操作具に出入り可能に外部へ引き出されている。これにより、上記（１）の各作用に加えて、電極が分離して各通電操作具に対して離れたときに、あらかじめ設定された間隔までは余長部が内部へ引き込まれることで吸収されるので、電極が離れて電線が引っ張られることによる衝撃や力が、各通電操作具に及ぶことが抑制される。
【００２３】
（３）本発明は、前記プラス側の電線及び前記マイナス側の電線の一方または双方が伸縮可能な余長部が設けられると共に、前記余長部が、対応する前記各通電操作具に出入り可能に収納されている構成であってもよい。
【００２４】
この場合、電線に設けた伸縮可能な余長部は、電極を分離させたとき、必要な位置まで離すことができるように、電線に余裕を持たせた部分であり、各通電操作具に出入り可能に収納されている。これにより、上記（１）の各作用に加えて、電極が分離して各通電操作具に対して離れたときに、あらかじめ設定された間隔までは余長部が伸びることで吸収されるので、電極が離れて電線が引っ張られることによる衝撃や力が、各通電操作具に及ぶことが抑制される。また、電極を各通電操作具に戻すときに、電線を元のように縮めて内部に収納することができる。この状態では、電線の余長部が、通電操作具を取り扱う際に、木の枝等に引っ掛かる等の不都合が生じにくく、山中での作業がしやすい。
【００２５】
（４）本発明は、前記プラス側の電線及び前記マイナス側の電線の一方または双方が伸縮可能な余長部が設けられると共に、前記余長部が、対応する前記各通電操作具の外部に露出して設けられている構成であってもよい。
【００２６】
この場合、電線に設けた伸縮可能な余長部は、電極を分離させたとき、必要な位置まで離すことができるように、電線に余裕を持たせた部分であり、各通電操作具の外部に露出して設けられている。これにより、上記（１）の各作用に加えて、電極が分離して各通電操作具に対して離れたときに、あらかじめ設定された間隔までは余長部が伸びることで吸収されるので、電極が離れて電線が引っ張られることによる衝撃や力が、各通電操作具に及ぶことが抑制される。また、電極を各通電操作具に戻すときに、電線を元のように縮めた状態とすることができるので、外部に露出していても、余長部が邪魔になりにくい。
【００２７】
（５）上記の目的を達成するために本発明は、プラス側の変形性を有する電線に接続された電極針を有するプラス側通電操作具と、マイナス側の変形性を有する電線に接続された電極針を有するマイナス側通電操作具を備える通電式屠殺装置を使用し、前記プラス側通電操作具及びマイナス側通電操作具の前記各電極を、捕獲されて拘束された動物に突き刺し、該各電極を突き刺した状態、かつ前記各電線を介し同各電極に通電できる状態を維持したままで、前記プラス側通電操作具と前記マイナス側通電操作具から同各電極を分離させる工程と、前記プラス側の電線に通電し、前記動物を通る閉回路をつくって同動物を感電させる工程とを備える屠殺方法である。
【００２８】
本発明の屠殺方法によれば、プラス側通電操作具及びマイナス側通電操作具の変形性を有する各電極を、捕獲されて拘束された動物に突き刺し、各電極を突き刺した状態、かつ各電線を介し各電極に通電できる状態を維持したままで、プラス側通電操作具とマイナス側通電操作具から各電極を分離させることができる。
【００２９】
このとき、動物は拘束されており、自由に動くことができないので、各電極を動物に突き刺す作業を容易に行うことができる。また、各通電操作具から各電極を分離したことにより、動物に突き刺した各電極と各通電操作具は、所要の間隔を以て、電線を介して通電可能に接続された状態となる。
【００３０】
電線は変形性を有しているので、分離した各電極と各通電操作具の位置関係が変化しても、例えば電線が届く範囲内、あるいは電線の変形が可能な範囲内等であれば、通電できる状態の維持が可能である。
そして、プラス側の電線に通電し、電流が動物を通る閉回路をつくる。すなわち、プラス側通電操作具につながるプラス側の電線を通じて電極に送られた電流は、動物の身体を通り、更にマイナス側通電操作具においてマイナス側の電線に流れて接地されることにより、動物は感電する。
【００３１】
また、動物が通電する前に暴れたり、通電のショック等で激しく動いたりしても、その動きの一部または全部は、各電線が変形しながら動くことにより吸収されるので、各通電操作具に伝わることを抑制することができる。
したがって、電極が変形したり破損したりすることを抑制することができる。また、従来のような、各通電操作具が強く弾かれて、操作具を持った狩猟者が転倒したり操作具で打たれたりして怪我をしてしまう危険性を低減することができる。
【発明の効果】
【００３２】
本発明は、罠で動物を捕獲して、通電によって屠殺等を行う際に、操作具の先端に取り付けられた、動物に突き刺す電極針が変形したり破損したりすることを抑制すると共に、操作具を操作する作業者に危険が及びにくいようにして安全性を高めた通電式屠殺装置及び屠殺方法を提供する。
【図面の簡単な説明】
【００３３】
【図１】本発明の通電式屠殺装置の第１実施の形態を示す一部を省略した説明図である。
【図２】図１に示すプラス側通電操作具の先端部構造を示し、（ａ）は組み上がりの説明図、（ｂ）は組み付け構造を示す分解説明図である。
【図３】通電式屠殺装置の使用状態を示し、プラス側通電操作具とマイナス側通電操作具の各電極を動物の所要箇所に突き刺した状態を示す説明図である。
【図４】通電式屠殺装置の使用状態を示し、図３に示す状態からプラス側通電操作具とマイナス側通電操作具を操作し、各電線をつないだ状態のまま各電極を分離させた状態を示す説明図である。
【図５】動物を屠殺する際に通電されるパルスの説明図である。
【図６】通電式屠殺装置のプラス側通電操作具の先端部構造の第１の変形例を示し、（ａ）は組み上がりの一部断面説明図、（ｂ）は電極針を動物の皮膚に突き刺して電極針を通電操作具から分離させた状態の一部断面説明図である。
【図７】通電式屠殺装置のプラス側通電操作具の先端部構造の第２の変形例を示し、（ａ）は組み上がりの一部省略説明図、（ｂ）は電極針を動物の皮膚に突き刺して電極針を通電操作具から分離させた状態の一部省略説明図である。
【図８】通電式屠殺装置のプラス側通電操作具の先端部構造の第３の変形例を示し、（ａ）は組み上がりの説明図、（ｂ）は電極針を動物の皮膚に突き刺して電極針を通電操作具から分離させた状態の一部省略説明図である。
【発明を実施するための形態】
【００３４】
図１乃至図４を参照して、本発明の第１実施の形態を更に詳細に説明する。
通電式屠殺装置Ａは、電源部１、プラス側通電操作具２及びマイナス側通電操作具３を備えている。以下、各部を詳細に説明する。
【００３５】
（電源部１）
電源部１は、直方体形状のケース１０を有している。ケース１０の内部には、図示しない１２Ｖのバッテリーと、１００Ｖ、２４０ＡのＤＣ／ＡＣインバーターが収納され、固定されている。また、バッテリーのプラス極とマイナス極は、ＤＣ／ＡＣインバーターの入力側に接続されている（図１参照）。なお、バッテリーとＤＣ／ＡＣインバーターの仕様は、屠殺する動物に合わせて好適なものを適宜採用可能である。また、電源部には、バッテリーからの電圧を昇圧する昇圧器を設けることもできる。
【００３６】
また、ケース１０の上面には、ＤＣ／ＡＣインバーターをＯＮ／ＯＦＦ操作することができる片切りスイッチである電源スイッチ１１が設けられている。ケース１０の後部側面には、交流電力を出力するプラス側コンセント１２と、マイナス側コンセント１３が設けられている。ケース１０は、上部の両端寄りに、携帯用の肩ベルト１４及び腰ベルト１５を有している。
【００３７】
ケース１０は、後述するプラス側通電操作具２の竿部２０に取り付けることができるように、そのための取付具または固定具等を有していてもよい。なお、電源スイッチ１１には、万一の際、素早くスイッチを切ることができるように、操作がしやすい押しボタン式のスイッチを採用してもよい。
【００３８】
プラス側コンセント１２には、後述するプラス側通電操作具２につながるプラス側電線１６が、基端部に設けられているプラグ（符号省略）を差し込んで接続されている。また、マイナス側コンセント１３には、マイナス側通電操作具３につながるマイナス側電線１７が、基端部に設けられているプラグ（符号省略）を差し込んで接続されている。プラス側電線１６とマイナス側電線１７は、変形性を有しており、様々に変形することができる。
【００３９】
（プラス側通電操作具２）
プラス側通電操作具２は、絶縁体である合成樹脂（例えばポリ塩化ビニル等であるが限定はされない）で形成された竿部２０を有している。竿部２０は、充分な剛性を有する円管で形成され、例えば１５００〜２０００ｍｍ程度の長さに設定されている。なお、竿部２０（後述する竿部３０も同様）の長さについては、特に限定せず、適宜設定が可能である。また、竿部は、伸縮自在な構造とすることもできる。
【００４０】
竿部２０の先端部には、電極針２１が着脱可能に取り付けられている（図１、図２参照）。電極針２１は、導体である差込体２１０と、同じく導体である針体２１１で構成されている。差込体２１０は、竿部２０の先端に差し込んで仮止めができる。差込体２１０は、竿部２０の先端部に内嵌めされる基部２１２と、基部２１２より径大な止め部２１３、及び針体２１１が固定される固定部２１４を有している。
【００４１】
針体２１１は、基側が固定部２１４の先端から差し込まれ、止めネジ（いもねじ、ともいう）２１５によって固定され、電気的に接続されている。また、基部２１２の外径は、竿部２０の内径より若干径小、または同径に形成されており、やや抵抗を以て嵌め込まれている。この嵌め合いの強さは、取り扱い時に自重等で簡単に分離してしまうことがなく、例えば電極針２１を動物に突き刺した後、プラス側通電操作具２を操作し、動物に固定されている電極針２１をそのまま止めた状態にして、プラス側通電操作具２と電極針２１を分離させることができる程度の強さに設定されている。
【００４２】
なお、プラス側通電操作具２と電極針２１を分離させる構造は、この構造に限定されるものではなく、例えば竿体２０と電極針２１の間で所要の係止構造を採用し、プラス側通電操作具２の手元の操作で、その係止状態を解除して分離させる等、公知の各種手段が採用可能である。そして、差込体２１０に固定された針体２１１には、安全のためにキャップ２１６が着脱可能に取り付けられる。キャップ２１６は、金属製で、蝶ネジ２１７を締め込んで針体２１１に固定することができる構造である。
【００４３】
また、差込体２１０の基部２１２には、上記プラス側電線１６の先端部が止めネジ２１８によって固定され、電気的に接続されている。プラス側電線１６は、プラス側通電操作具２の基部から竿体２０の内部に導入されており、内部を通って、上記のように差込体２１０に接続されている。プラス側電線１６の経路中には、起動スイッチ２２が設けられている。プラス側電線１６の導入部は、竿体２０の基端部に螺着されている竿尻具２４に固定されている。
【００４４】
起動スイッチ２２は、ＯＮ／ＯＦＦの切替が可能な押しボタン式で、竿体２０の基部寄りに設けられている継手２３に固定されており、狩猟者が操作しやすいようにしている。竿体２０において、継手２３よりやや先部寄りには、プラス側電線１６の一部を竿体２０の外部へ引き出すための引出し穴２００、２０１が周壁（符号省略）を貫通して設けられている。
【００４５】
プラス側電線１６は、竿体２０の内部において、竿体２０の長さより所要の長さだけ長くなるように設定されている。この長く設定された部分が余長部１６０であり、本実施の形態では６００ｍｍ程度に設定されている。余長部１６０の長さは、この長さに限定されるものではなく、適宜設定が可能である。余長部１６０は、引出し穴２００、２０１から外部へループ状に引き出されている。なお、図１等では、便宜上、余長部としての符号を付けているが、余長部は長さに余裕のある部分の意味であるので、必ずしもここだけに表れるものではない。
【００４６】
引出し穴２００、２０１は、竿体２０の底面、すなわち図１において下側、換言すれば起動スイッチ２２とは反対側に設けられている。これは、狩猟者が起動スイッチ２２を親指で操作しやすいようにしてプラス側通電操作具２を持ったときに、引出し穴２００、２０１から引き出された余長部１６０を他の指で持ちやすいようにするためである。しかし、引出し穴２００、２０１の形成位置は、これに限定するものではなく、適宜設定することができる。
【００４７】
また、引出し穴２００、２０１は、つながらないように独立して設けられており、それぞれ竿体２０の軸線方向と平行に設けられた長穴である。引出し穴２００、２０１は、長さが異なり、引出し穴２００は短く、引出し穴２０１はそれよりやや長くしてあるが、この組合せに特に限定するものではない。また、引出し穴２００、２０１の孔縁の内部側は、プラス側電線１６が摺動しやすいように斜面に加工されている。
【００４８】
（マイナス側通電操作具３）
マイナス側通電操作具３は、上記プラス側通電操作具２と、電源部１からつながる電線がマイナス側電線１７に変わるだけで、実質的に同様の構造を有している（図１参照）。
【００４９】
すなわち、マイナス側通電操作具３は、竿部３０を有している。竿部３０の先端部には、電極針３１が着脱可能に取り付けられている。電極針３１は、導体である差込体３１０と、同じく導体である針体３１１で構成されている。差込体３１０は、竿部３０の先端に差し込んで仮止めができる。差込体３１０は、竿部３０の先端部に内嵌めされる基部３１２と、基部３１２より径大な止め部３１３、及び針体３１１が固定される固定部３１４を有している。
【００５０】
針体３１１は、固定部３１４に止めネジ３１５によって固定され、電気的に接続されている。基部３１２の外径は、竿部３０の内径より若干径小、または同径に形成されており、やや抵抗を以て嵌め込まれている。この嵌め合いの強さは、取り扱い時に自重等で簡単に分離してしまうことがなく、例えば電極針３１を動物に突き刺した後、マイナス側通電操作具３を操作し、動物に固定されている電極針３１をそのまま止めた状態にして、マイナス側通電操作具３と電極針３１を分離させることができる程度の強さに設定されている。
【００５１】
差込体３１０に固定された針体３１１には、安全のためにキャップ３１６が着脱可能に取り付けられる。キャップ３１６は、蝶ネジ３１７を締め込んで針体３１１に固定することができる。差込体３１０の基部３１２には、上記マイナス側電線１７の先端部が止めネジ３１８によって固定され、電気的に接続されている。
【００５２】
マイナス側電線１７は、マイナス側通電操作具３の基部から竿体３０の内部に導入されており、内部を通って、上記のように差込体３１０に接続されている。マイナス側電線１７の経路中には、起動スイッチ３２が設けられている。マイナス側電線１７の導入部は、竿体３０の基端部に螺着されている竿尻具３４に固定されている。
【００５３】
起動スイッチ３２は、竿体３０の基部寄りに設けられている継手３３に固定されており、狩猟者が操作しやすいようにしている。竿体３０において、継手３３よりやや先部寄りには、マイナス側電線１７の一部を竿体３０の外部へ引き出すための引出し穴３００、３０１が設けられている。マイナス側電線１７には、余長部１７０があり、引出し穴３００、３０１から外部へループ状に引き出されている。
【００５４】
なお、起動スイッチ２２、３２の操作による通電状態にあわせてランプが点滅したり、あるいはブザーが鳴るようしたりする等、報知機能を持たせることができる。ランプの点滅やブザーの鳴る周期（時間）を適宜設定しておけば、ランプが点滅する回数やブザーの鳴る回数をカウントすることにより、狩猟者が通電時間を計る目安とすることも可能である。このように、通電が始まること、あるいは通電していることを報知する報知機能を有することで、例えば装置を操作する狩猟者以外に補助者がいる場合にも、通電状態が補助者にも伝わるので、より安全に作業ができるようになる。
【００５５】
（作用）
図１乃至図４を参照して、通電式屠殺装置Ａの使用方法及び作用を説明する。
図３、図４では、足括り罠（図示省略）に掛かり、三本のワイヤロープ５、５ａ、及びロープ５ｂで立木６等につながれて拘束されたイノシシ７を屠殺する場合を例にとり説明する。なお、ワイヤロープ５、５ａ、及びロープ５ｂには、適当なテンションが掛かっており、イノシシ７は自由に動くことができない状態である。
【００５６】
捕獲されたイノシシ７の屠殺にあたっては、足括り罠のワイヤロープ５だけでなく、拘束用のワイヤロープ５ａをイノシシ７につなぐ。この作業は、まずワイヤロープ５ａの先端に括り輪５０を形成し、これを長尺の棒等を使用して、イノシシ７の鼻先に近付けると咥えるので、すぐにワイヤロープ５ａを引いて括り輪５０を引き絞り、上顎を縛ることで比較的容易に行うことができる。
【００５７】
そして、詳細については説明を省略するが、公知の用具５１を使用して、イノシシ７の後足にロープ５ｂをつなぎ、これを他の立木（図示省略）につないで、イノシシ７を二方から引っ張ることによって、動けないように拘束する。
【００５８】
なお、図３、図４では、図示の便宜上、各ワイヤロープ５、５ａを比較的短く表しているが、実際上は、相当に長いものであり、括り輪５０をイノシシ７に咥えさせる作業やロープ５ｂを接続する作業は、イノシシ７から離れた位置から安全に行うことができる。このように、イノシシ７の動きを確実に制限して、狩猟者に対する危険度をあらかじめ軽減しておく。
【００５９】
次に、狩猟者は、イノシシ７と離れた安全な場所で、通電式屠殺装置Ａを使用した屠殺作業の準備をする。まず、通電式屠殺装置Ａの電源部１の電源スイッチ１１を入れる。なお、プラス側通電操作具２とマイナス側通電操作具３の起動スイッチ２２、３２は、安全のためあらかじめ切っておく。この状態では、各通電操作具２、３の各電極針２１、３１には、通電されていない。
【００６０】
次に、マイナス側通電操作具３を操作して、イノシシ７の後足に電極針３１を突き刺し、プラス側通電操作棒２を操作して、イノシシ７の耳の下の神経が通った所に電極針２１を突き刺す。この突き刺す順番は、特に限定せず、逆であってもよい。また、イノシシ７は拘束されており、自由に動くことができないので、各電極針２１、３１を突き刺す作業を容易に行うことができる。
【００６１】
そして、狩猟者が、すぐにプラス側通電操作具２とマイナス側通電操作具３を引っ張る等の操作を行い、各電極２１、３１を突き刺した状態を維持しながら、かつプラス側電線１６及びマイナス側電線１７を介し各電極針２１、３１に通電可能な状態を維持しながら、各電極針２１、３１を分離させる。
【００６２】
これにより、各電線１６、１７は引っ張られ、各余長部１６０、１７０が各竿体２０、３０の内部に収納されるまでは、先端から引出し可能である。プラス側通電操作具２とマイナス側通電操作具３は、各電線１６、１７の引出し可能な長さ（各余長部１６０、１７０の長さ）の分だけ、各電極針２１、３１と新たな余長部１６０ａ、１７０ａの長さに対応する距離を以て分離することができる（図４参照）。
【００６３】
このようにして、イノシシ７に突き刺さって固定されている各電極針２１、３１と、狩猟者が持っている、電極針２１、３１が外れたプラス側通電操作具２とマイナス側通電操作具３は、変形性を有する電線１６、１７を介し、通電可能に接続された状態となる（図４参照）。なお、イノシシ７に刺さっていた電極針が何等かの原因で抜けてしまった場合は、抜けた側の電線の余長部を引っ張れば、電極針を竿体の先端部に納めることができ、イノシシ７に対して再度刺し直すことができる。
【００６４】
この状態で起動スイッチ２２、３２を入れてプラス側の電線に通電し、電流がイノシシ７を通る閉回路をつくる。すなわち、プラス側通電操作具２につながるプラス側電線１６を通じて電極針２１に送られた電流は、イノシシ７の身体を通り、更にマイナス側通電操作具３においてマイナス側電線１７に流れて接地されることにより、イノシシ７は感電する。
【００６５】
また、上記作業において、イノシシ７が通電する前に暴れたり、通電のショック等で激しく動いたりしても、その動きの一部または全部は、各電線１６、１７が変形しながら動くことにより吸収されるので、各通電操作具２、３に伝わることを抑制することができる。
【００６６】
したがって、各電極針２１、３１が変形したり破損したりすることを抑制することができる。これにより、電極針の破損等が原因で通電式屠殺装置が使用できなくなることも抑制することができる。また、従来のような、各通電操作具２、３が強く弾かれて、各通電操作具２、３を持った狩猟者が転倒したり、各通電操作具２、３で打たれたりして怪我をしてしまう危険性を低減することもできる。
【００６７】
このように、通電式屠殺装置Ａを使用すれば、上記したように、足括り罠に掛かって、ワイヤロープ５でつながれた状態で捕獲されたイノシシ７であっても、狩猟者Ｍが自身の安全を図りながら屠殺を行うことができる。
【００６８】
なお、例えば鉄製で檻状の箱罠で動物を捕獲している場合において、クリッピングケーブル（図示省略）をマイナス側通電操作具３の電極針３１と入れ替えて接続することもでき、クリッピングケーブルのクリップを地面上にある箱罠に接続することで、アースをとることが可能になる。この場合は、クリッピングケーブルを接続しなかった側のプラス側通電操作具２の電極針２１を動物に接触させて通電を行えば、箱罠に触れている動物の身体を通る閉回路が形成され、動物を感電させることができる。
【００６９】
また、イノシシ７の身体において通電する箇所、身体を通る電流の電圧と容量、あるいは通電時間を適宜調節することにより、イノシシ７を感電死させることもできるし、気絶させることもできる。例えば、動物の口部と首部との間で所要時間通電すると、主に脳が感電して仮死状態となり、この時点では心臓は動いているので、ナイフ等を使用して致命傷を与えることで放血が可能になり、その場合は特に食用に適する。更に、動物の口部と後足や前足の間で通電を行えば、心臓が感電して短時間で停止するので、手早く屠殺を行う場合に有用である。
【００７０】
図５を参照し、通電の際の電流の制御について説明する。
まず、上記のように、各電極針２１、３１をイノシシ７に突き刺してセットした後、電源部１の電源スイッチ１１を入れ、起動スイッチ２２、３２を入れて電極針２１に通電を行う。
【００７１】
この通電は、先に０．１秒間の印加時間、例えば２０〜５０ｍＡで、人が感電しても死に至らない印加時間で、所要時間をおいて三回行われる（図５に示した各パルス参照）。仮に、通電式屠殺装置Ａがセットされた状態で漏電があり、装置の操作を行う狩猟者が、閉回路上に存在してしまった場合も、この段階では電流を僅かに感じるだけで、危険を察知でき、通電の停止後に装置の点検をする等、対策をとることで、感電による事故を回避することができる。
【００７２】
そして、上記において、最後の三回目の電流の印加が行われ、狩猟者の安全を確認できた後、所要の時間をおいて、例えば５０ｍＡで、設定された時間だけ電流の印加が行われる。この場合の印加は、イノシシ７の屠殺、つまり殺処分ができるものである。なお、電流の印加時間を適宜設定しておくことで、動物の種類、あるいは大きさに対応した、より確実な処分が可能になる。例えば、イノシシの場合、２０ｋｇ以下なら２秒、５０ｋｇ以下なら３〜４秒、８０ｋｇ以下なら３〜５秒、１００ｋｇ以下なら４〜６秒でセットする等である。
【００７３】
図６乃至図８を参照し、電極針の取付構造の第１の変形例を説明する。
図６に示すものは、プラス側の電極針２１ａの差込体２１０ａの基部２１２ａ外周面にＯリング２１９が取り付けられている構成を有する。先部に針体２１１が固定された電極針２１ａには、プラス側電線１６ａが電気的に接続されている。電極針２１ａは、Ｏリング２１９によって、上記電極針２１と同様の固定力を以て、竿体２０ａの先端に内嵌めにより止められている。なお、電極針２１ａの止め部２１３ａと固定部２１４ａの構造は、電極針２１のものと同様である。
【００７４】
また、プラス側電線１６ａの先部側は、いわゆるカールコードであり、螺旋状で伸縮可能である。プラス側電線１６ａは、当初は竿体２０ａの内部に収納されており、電極針２１ａが分離されると、カールコード部分が伸びるようになっている。なお、マイナス側の電極針（図示省略）は、プラス側の電極針２１ａと同様の構成を有していてもよいし、他の構成を採用することもできる。
【００７５】
これによれば、各通電操作棒の先端に取り付けられた動物に突き刺す電極針２１ａが変形したり破損したりすることを抑制すると共に、各通電操作棒を操作する狩猟者に危険が及びにくいようにして安全性を高めた点については、略同様の作用を有する。
加えて、電極針２１ａが分離されるまでは、プラス側電線１６ａの全体が竿体２０ａの先端からは外に露出しておらず、プラス側通電操作具（符号省略）の取り扱いにおいて、プラス側電線１６ａが作業箇所の周りの木枝に引っ掛かる等の不都合が生じにくい。また、プラス側電線１６ａのカールコード部分は、通電終了後、電極針２１ａを元の位置に納める際に、プラス側電線１６ａを半ば自動的に竿体２０ａの内部に引き込むことができるので、作業がしやすい。
【００７６】
図７を参照し、電極針の取付構造の第２の変形例を説明する。
図７に示すものは、竿体２０ｂの先端に導体である受具２０２が固定されている。受具２０２には、プラス側電線１６ｂが固定ネジ２０３で接続されている。受具２０２には、先部に針体２１１が固定された電極針２１ｂが、差込体２１０ｂの差込部２０４を抜き差し可能として止められている。電極針２１ｂは、受具２０２に対して上記電極針２１と同様の固定力を以て止められている。
【００７７】
受具２０２と電極針２１ｂには、変形性を有する延長電線１６１の両端が接続されている。延長電線１６１の両端は、それぞれ固定ネジ２０５、２０６で電気的に接続されている。延長電線１６１の長さは、必要な余長部（符号省略）として機能するよう形成されている。
【００７８】
また、延長電線１６１は、当初は図７（ａ）に示すようにループ状に形成されて、プラス側通電操作具の手元側に設けられている、可撓性を有するフック２０７に掛けられている。なお、マイナス側の電極針（図示省略）は、受具２０２及びプラス側の電極針２１ｂと同様の構成を有していてもよいし、他の構成を採用することもできる。なお、針体２１１を覆うキャップ２１６ｂは、樹脂製で押し込み式である。
【００７９】
これによれば、各通電操作棒の先端に取り付けられた動物に突き刺す電極針２１ｂが変形したり破損したりすることを抑制すると共に、各通電操作棒を操作する狩猟者に危険が及びにくいようにして安全性を高めた点については、略同様の作用を有する。
加えて、電極針２１ｂが分離されるまでは、プラス側電線１６ｂがフック２０７に掛かっており、その全体が竿体２０ｂに沿っているので、プラス側通電操作具（符号省略）の取り扱いにおいて、プラス側電線１６ｂが作業箇所の周りの木枝に引っ掛かる等の不都合が生じにくい。なお、電極針２１ｂが分離される際には、延長電線１６１が引っ張られ、フック２０７から外れて、所要長さまで長くなる（図７（ｂ）参照）。
【００８０】
図８を参照し、電極針の取付構造の第３の変形例を説明する。
図８に示すものは、竿体２０ｃの先端に導体である受具２０２ｃが固定されている。受具２０２ｃには、プラス側電線１６ｃが固定ネジ２０３ｃで接続されている。受具２０２ｃには、先部に針体２１１が固定された電極針２１ｃが、差込体２１０ｃの差込部２０４ｃを抜き差し可能として止められている。電極針２１ｃは、受具２０２ｃに対して上記電極針２１と同様の固定力を以て止められている。
【００８１】
受具２０２ｃと電極針２１ｃには、変形性を有する延長電線１６２の両端が接続されている。延長電線１６２は、いわゆるカールコードで伸縮可能であり、その両端は、それぞれ固定ネジ２０５、２０６で電気的に接続されている。延長電線１６２の長さは、必要な余長部（符号省略）として機能するよう形成されている。なお、マイナス側の電極針（図示省略）は、受具２０２ｃ及びプラス側の電極針２１ｃと同様の構成を有していてもよいし、他の構成を採用することもできる。
【００８２】
これによれば、各通電操作棒の先端に取り付けられた動物に突き刺す電極針２１ｃが変形したり破損したりすることを抑制すると共に、各通電操作棒を操作する狩猟者に危険が及びにくいようにして安全性を高めた点については、略同様の作用を有する。
加えて、延長電線１６２は、電極針２１ｃが分離されるまでは、図８（ａ）に示すように下方へ垂れ下がって縮んでおり、プラス側通電操作具（符号省略）の取り扱いにおいて、プラス側電線１６ｃが作業箇所の周りの木枝に引っ掛かる等の不都合が生じにくい。
また、電極針２１ｃが分離される際には、延長電線１６２が引っ張られて伸びる（図８（ｂ）参照）。延長電線１６２は、通電終了後、電極針２１ｃを元の位置に納める際に、自動的に縮むので作業がしやすい。
【００８３】
本明細書及び特許請求の範囲で使用している用語と表現は、あくまでも説明上のものであって、なんら限定的なものではなく、本明細書及び特許請求の範囲に記述された特徴及びその一部と等価の用語や表現を除外する意図はない。また、本発明の技術思想の範囲内で、種々の変形態様が可能であるということは言うまでもない。
【符号の説明】
【００８４】
Ａ  通電式屠殺装置
１  電源部
１０  ケース
１１  電源スイッチ
１２  プラス側コンセント
１３  マイナス側コンセント
１４  肩ベルト
１５  腰ベルト
１６  プラス側電線
１６０  余長部
１６０ａ  余長部
１７  マイナス側電線
１７０  余長部
１７０ａ  余長部
２  プラス側通電操作具
２０  竿部
２００、２０１  引出し穴
２１  電極針
２１０  差込体
２１１  針体
２１２  基部
２１３  止め部
２１４  固定部
２１５  止めネジ
２１６  キャップ
２１７  蝶ネジ
２１８  止めネジ
２２  起動スイッチ
２３  継手
２４  竿尻具
３  マイナス側通電操作具
３０  竿部
３００、３０１  引出し穴
３１  電極針
３１０  差込体
３１１  針体
３１２  基部
３１３  止め部
３１４  固定部
３１５  止めネジ
３１６  キャップ
３１７  ネジ
３１８  止めネジ
３２  起動スイッチ
３３  継手
３４  竿尻具
２１ａ  電極針
２１０ａ  差込体
２１２ａ  基部
２１９  Ｏリング
２０ａ  竿体
２１３ａ  止め部
２１４ａ  固定部
１６ａ  プラス側電線
２０ｂ  竿体
２０２  受具
１６ｂ  プラス側電線
２０３  固定ネジ
２１ｂ  電極針
２１０ｂ  差込体
２０４  差込部
１６１  延長電線
２０５、２０６  固定ネジ
２０７  フック
２１６ｂ  キャップ
２０ｃ  竿体
２０２ｃ  受具
１６ｃ  プラス側電線
２０３ｃ  固定ネジ
２１ｃ  電極針
２１０ｃ  差込体
２０４ｃ  差込部
１６２  延長電線
【図１】
2018121608.tif 000003
【図２】
2018121608.tif 000004
【図３】
2018121608.tif 000005
【図４】
2018121608.tif 000006
【図５】
2018121608.tif 000007
【図６】
2018121608.tif 000008
【図７】
2018121608.tif 000009
【図８】
2018121608.tif 000010
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
バッテリーと、該バッテリーが入力側に接続されたＤＣ／ＡＣインバーターとを有する電源部と、
該電源部の前記ＤＣ／ＡＣインバーターの出力側に接続されたケーブルのプラス側の電線が接続されており、先端部に、前記プラス側の電線を介して通電可能な状態を維持しながら分離できるように形成されている電極針を有する、所要長さのプラス側通電操作具と、
前記電源部の前記ＤＣ／ＡＣインバーターの出力側に接続されたケーブルのマイナス側の電線が接続されており、先端部に、前記マイナス側の電線を介して通電可能な状態を維持しながら分離できるように形成されている電極針を有する、所要長さのマイナス側通電操作具と、
前記プラス側通電操作具のプラス側の電線及び前記マイナス側通電操作具のマイナス側の電線の一方または双方の通電と遮断を切り替える起動スイッチとを備え、
前記プラス側通電操作具と前記マイナス側通電操作具が、管状の竿体を有し、該竿体には引出し穴が周壁を貫通して設けられており、該引出し穴から、前記竿体の内部に通されている前記電線のうち、余長部が前記竿体の内部に収納可能に外部へ引き出してあり、先端部が接続される前記電極針は、前記竿体の先端部に抜き差し可能な差込体に針体を固定した構造である、
通電式屠殺装置。
【手続補正３】
【補正対象書類名】明細書
【補正対象項目名】０００１
【補正方法】変更
【補正の内容】
【０００１】
本発明は、通電式屠殺装置に関するものである。詳しくは、捕獲した動物を通電によって屠殺したり気絶させたりする際に、操作棒の先端に取り付けられた、動物に突き刺す電極針が変形したり破損したりすることを抑制すると共に、操作棒を操作する作業者に危険が及びにくいようにして安全性を高めたものに関する。
【手続補正４】
【補正対象書類名】明細書
【補正対象項目名】００１０
【補正方法】変更
【補正の内容】
【００１０】
本発明は、以上の点を鑑みて創案されたものであり、捕獲した動物を通電によって屠殺等を行う際に、操作棒の先端に取り付けられた、動物に突き刺す電極針が変形したり破損したりすることを抑制すると共に、操作棒を操作する作業者に危険が及びにくいようにして安全性を高めた通電式屠殺装置を提供することを目的とする。
【手続補正５】
【補正対象書類名】明細書
【補正対象項目名】００３２
【補正方法】変更
【補正の内容】
【００３２】
本発明は、罠で動物を捕獲して、通電によって屠殺等を行う際に、操作具の先端に取り付けられた、動物に突き刺す電極針が変形したり破損したりすることを抑制すると共に、操作具を操作する作業者に危険が及びにくいようにして安全性を高めた通電式屠殺装置を提供する。